(57)【要約】【課題】ＥＧＲシステムと統合することができる吸入システムを提供すること。【解決手段】本発明の実施形態は、少なくとも１つのターボ機械（１４０）の排気の一部分を再循環させることができるシステムの形態を取り、ここでは、排気は、吸入空気と混合され、ユニット（１４０）の信頼性及び可用性に悪影響を与えることなくターボ機械（１４０）に再流入することができる。本発明の実施形態は、排気ガス再循環システム（１００）の吸入システム（１６０）を提供する。本吸入システム（１６０）は、種々の形態をとることができ、再循環された排気ストリーム（１２５）の一部が吸入システム（１６０）内を流れる方向を最適化することができる。【選択図】      図２
2010101320.tif 000002
【特許請求の範囲】
【請求項１】
排気ストリーム(１２５)をターボ機械（１４０）に導入するためのシステムであって、
空気ストリーム及び排気ストリーム（１２５）を含む吸入流体（１３５）をターボ機械（１４０）の圧縮機セクション（１４５）に向けて送る吸入システム（１６０）と、
少なくとも１つの排気ガス循環（ＥＧＲ）スキッド（１０５）と、前記吸入システム（１６０）の一部に統合された少なくとも１つのＥＧＲダクト（２０５）とを含むＥＧＲシステム（１００）と、
を備え、
少なくとも１つの前記ＥＧＲシステム（１００）が、
第１のレベルの成分を含む前記排気ストリーム(１２５)をターボ機械（１４０）の排出セクションから第１の温度で受け取り、
前記排気ストリーム(１２５)が前記ＥＧＲスキッド（１０５）に流入して、前記成分を第２のレベルに低減できるようにし、
前記排気ストリーム(１２５)が第２の温度で前記ＥＧＲスキッド（１０５）から流出して前記少なくとも１つのＥＧＲダクト（２０５）を通って流れ、前記吸入システム（１６０）に流入できるようにする、
ように構成されているシステム。
【請求項２】
前記吸入システム（１６０）が、
前記吸入システム（１６０）に流入する雨量を低減するよう構成され、前記空気ストリームを受けるための開口を含む少なくとも１つのウェザーフード（１６５）と、
前記圧縮機セクション（１４５）に流入する異物の量を低減するよう構成された吸入フィルタシステム（１７０）と、
のうちの少なくとも１つを備える、
請求項１に記載のシステム。
【請求項３】
前記少なくとも１つのＥＧＲダクト（２０５）が、前記ウェザーフード（１６５）の一部と統合される、
請求項２に記載のシステム。
【請求項４】
前記少なくとも１つのＥＧＲダクト（２０５）の出口部分（２０９）の向きが、角度Ｘ及び角度Ｙによって決まる、
請求項３に記載のシステム。
【請求項５】
前記少なくとも１つのウェザーフード（１６５）の開口が、少なくとも１つのフィルタ（１７０）によって覆われ、前記少なくとも１つのフィルタ（１７０）が、前記吸入システム（１６０）に流入する空気ストリーム内の塵のレベルを低減する、
請求項４に記載のシステム。
【請求項６】
前記吸入フィルタシステム（１７０）が、前記ウェザーフード（１６５）の下流側に配置された第１のフィルタ（２２０）及び第２のフィルタ（２２５）を含む、
請求項２に記載のシステム。
【請求項７】
前記少なくとも１つのＥＧＲダクト（２０５）が、前記第１のフィルタ（２２０）及び前記第２のフィルタ（２２５）間に配置され、前記排気ストリーム(１２５)が前記第１のフィルタ（２２０）及び前記第２のフィルタ（２２５）間に流れることができるように構成されている、
請求項６に記載のシステム。
【請求項８】
前記吸入システム（１６０）が移行ダクト（２３０）を含み、前記移行ダクト（２３０）がサイレンサセクション（２３５）を含む、
請求項２に記載のシステム。
【請求項９】
前記少なくとも１つのＥＧＲダクト（２０５）が、前記第１のフィルタ（２２０）及び前記第２のフィルタ（２２５）の下流側で且つ前記サイレンサセクション（２３５）の上流側に配置され、前記排気ストリーム(１２５)が前記第１のフィルタ（２２０）及び前記第２のフィルタ（２２５）の下流側に流れることができるように構成される、
請求項８に記載のシステム。
【請求項１０】
前記吸入システム（１６０）が更に、前記移行ダクト（２３０）の下流側で且つ吸入プレナム（１８０）の上流側に配置された吸入ダクト（１７５）を備え、前記少なくとも１つのＥＧＲダクト（２０５）が、前記移行ダクト（２３０）に隣接した前記吸入ダクト（１７５）の一部上に配置される、
請求項２に記載のシステム。
【発明の詳細な説明】
【技術分野】
【０００１】
本発明は、ターボ機械から放出される排気ガスに関し、より具体的には、ＥＧＲシステム内で再循環させる排気ガスのプライムムーバとしてターボ機械を利用するシステム及び方法に関する。
【背景技術】
【０００２】
窒素酸化物（以下、ＮＯｘ）、二酸化炭素（以下、ＣＯ２）及び硫黄酸化物（ＳＯｘ）エミッションの環境に対する長期にわたる影響についての関心が益々大きくなっている。ガスタービンのようなターボ機械が放出する可能性があるエミッションの許容可能レベルは、厳しく規制されている。ターボ機械のオペレータは、放出されるＮＯｘ、ＣＯ２及びＳＯｘのレベルを低下させる方法を切望している。
【０００３】
排気ガスストリーム内には、大量の凝縮可能な蒸気が存在する。これらの蒸気には通常、水、酸、アルデヒド、炭化水素、硫黄酸化物、及び塩素化合物のような多様な成分が含まれる。これらの成分は、未処理のまま放置されてターボ機械への流入が可能となった場合には、内部構成要素の腐食及び汚損を加速することになる。
【０００４】
排気ガス再循環（ＥＧＲ）は一般に、放出された排気ストリームの一部分をターボ機械の吸入システムを通して再循環させることを含む。次いで、排気ストリームは、流入空気ストリームと混合された後、燃焼される。ＥＧＲプロセスは、濃縮ＣＯ２の除去及び隔離を可能にし、また、ＮＯｘ及びＳＯｘエミッションレベルも低下させることができる。再循環された排気は、流入空気ストリームと混合して吸入流体を生成する。排気ストリームは、吸入セクションの一部内で空気ストリームと適切に混合する必要がある。
【発明の概要】
【発明が解決しようとする課題】
【０００５】
上記の理由により、ＥＧＲシステムと統合することができる吸入システムに対する必要性がある。吸入システムは、再循環される排気ストリームを流入空気ストリームとの混合を可能にするように配向する必要がある。
【課題を解決するための手段】
【０００６】
本発明の1つの実施形態によれば、排気ストリームをターボ機械に導入するためのシステムであって、本システムは、空気ストリーム及び排気ストリームを含む吸入流体をターボ機械の圧縮機セクションに向けて送る吸入システムと、少なくとも１つの排気ガス循環（ＥＧＲ）スキッドと、吸入システムの一部に統合された少なくとも１つのＥＧＲダクトとを含むＥＧＲシステムと、を備え、少なくとも１つのＥＧＲシステムが、第１のレベルの成分を含む排気ストリームをターボ機械の排出セクションから第１の温度で受け取り、排気ストリームがＥＧＲスキッドに流入して、成分を第２のレベルに低減できるようにし、排気ストリームが第２の温度でＥＧＲスキッドから流出して少なくとも１つのＥＧＲダクトを通って流れ、吸入システムに流入できるようにする、ように構成されている。
【図面の簡単な説明】
【０００７】
【図１】ターボ機械と統合されたＥＧＲシステムの実施例を示す概略図。
【図２】本発明の第１の実施形態による、ＥＧＲシステムの吸入システムの実施例を示す概略図。
【図３】本発明の第２の実施形態による、ＥＧＲシステムの吸入システムの実施例を示す概略図。
【図４】本発明の第３の実施形態による、ＥＧＲシステムの吸入システムの実施例を示す概略図。
【図５】本発明の第４の実施形態による、ＥＧＲシステムの吸入システムの実施例を示す概略図。
【図６】本発明の第５の実施形態による、ＥＧＲシステムの吸入システムの実施例を示す概略図。
【発明を実施するための形態】
【０００８】
好ましい実施形態の以下の詳細な説明は、本発明の特定の実施形態を示す添付図面を参照する。異なる構造及び作動を有するその他の実施形態も、本発明の技術的範囲から逸脱するものではない。
【０００９】
本明細書では、特定の用語は、専ら読者の便宜のために使用しており、本発明の技術的範囲に対する限定として解釈すべきではない。例えば、「上方」、「下方」、「左側」、「右側」、「前部」、「後部」、「頂部」、「底部」、「水平」、「垂直」、「上流」、「下流」、「前方」、「後方」及び同様のものなどの用語は、図に示す構成を単に記述しているに過ぎない。実際には、本発明の実施形態の１つ又は複数の要素は、あらゆる方向に配向することができ、従ってこれらの用語は、特に断わらない限り、このような変形形態を含むものと理解されたい。
【００１０】
本発明の実施形態は、少なくとも１つのターボ機械の排気の一部分を再循環させることができるシステムの形態を取り、ここでは、排気は、吸入空気と混合され、ユニットの信頼性及び可用性に悪影響を与えることなくターボ機械に再流入することができる。本発明の要素は、ＥＧＲシステムが機能し作動することができる動作環境に耐え得る何れかの材料で作製することができる。
【００１１】
一般に、本発明の１つの実施形態の排気ガス再循環システムは、複数の要素を含む。各要素の構成及び配列は、排気ガスの組成により決定することができる。一般に、排気ガス再循環プロセスを構成するステップは、冷却、スクラビング、デミスト、高効率のパーティキュレート及び液滴除去、及び混合である。本発明を利用する場合には、吸入空気と配合した分流ガスは、有害な影響を及ぼすことなく、タービン吸入部分に導入することができる。以下で説明するように、排気ガス処理を達成するために使用することができる多様な装置が存在する。
【００１２】
本発明は、限定ではないが、高出力ガスタービン、航空転用ガスタービン、又は同様のものなどのガス状流体を生成する種々のターボ機械に適用することができる。本発明の１つの実施形態は、単一のターボ機械又は複数のターボ機械の何れにも適用することができる。本発明の１つの実施形態は、単純サイクル又は複合サイクル構成で運転するターボ機械に適用することができる。
【００１３】
以下で説明するように、本発明の実施形態は、少なくとも１つのＥＧＲスキッドを含むことができる。少なくとも１つのＥＧＲスキッドは、少なくとも１つのスクラバ、又は少なくとも１つのスクラバと少なくとも１つの下流熱交換器、又は少なくとも１つのスクラバと少なくとも１つの上流熱交換器、又は少なくとも１つのスクラバと少なくとも１つの下流熱交換器と少なくとも１つの上流熱交換器、又はこれらの様々な組合せを利用することができる。更に、少なくとも１つのＥＧＲスキッドはまた、排気ストリーム内の有害成分のレベルを低下させるための反応物を導入することができるインジェクタと、構成物質を除去するための湿式電気集塵装置とを含むことができる。
【００１４】
ここで種々の参照符号が図面全体を通じて同様の要素を示している各図を参照すると、図１は、ターボ機械１４０と統合されたＥＧＲシステム１００の実施例を示す概略図である。ターボ機械１４０は一般に、圧縮機セクション１４５、燃焼セクション１４７、及びタービンセクション１５０を含む。吸入セクション１６０は、圧縮機セクション１４５の上流側に配置することができる。吸入セクションは、少なくとも１つのウェザーフード１６５、吸入ダクト１７５、及び吸入プレナム１８０を含むことができる。排気スタック１５５は、排出セクション１５０の下流側に配置することができる。
【００１５】
ＥＧＲシステム１００は、ＥＧＲスキッド１０５と、ＥＧＲ流れ循環装置１１０と、ＥＧＲ吸入ダンパ１１５と、ＥＧＲ排出ダンパ１２０とを含み、これらは、ターボ機械１４０の排出セクション１５０と統合することができる。
【００１６】
少なくとも１つのＥＧＲシステム１００は、限定ではないが、約１０，０００ポンド／時〜約５０，０００，０００ポンド／時の流量と最高約１５００°Ｆまでの温度などの排気ストリーム１２５の物理的特性に耐え得るサイズのもので、且つそのような物理的特性に耐え得る材料で作製することができる。ここで、排気ストリーム１２５の速度は、最大約１０，０００，０００標準立方フィート毎分（ＳＣＦＭ）の範囲を含むことができる。吸入セクション１６０及びタービンセクション１５０は、ＥＧＲシステム１００の流路１３０の境界を定めることができる。
【００１７】
ＥＧＲスキッド１０５は一般に、排気ストリーム１２５から前述の成分のレベルを低下させるＥＧＲシステム１００の構成要素を含む。これら構成要素は、限定ではないが、例えば少なくとも１つの熱交換器、少なくとも１つのスクラバ、少なくとも１つのデミスタ、又は同様の構成要素（これらのいずれも図示していない）を含むことができる。ＥＧＲ流れ循環装置１１０は、ＥＧＲシステム１００の作動中に排気を循環させることができる。
【００１８】
一般に、ＥＧＲシステム１００の作動中、ＥＧＲ排出ダンパ１２０は、タービンセクション１５０からの排気ストリーム１２５がＥＧＲシステム１００に流入可能にするように開放することができる。排出ダンパ１２０は、総排気流量を非再循環排気と排気ストリーム１２５との間で分配することができる。ＥＧＲスキッド１０５は、排気ストリーム１２５内の成分のレベルを低下させることができる。次に、ＥＧＲ吸入ダンパ１１５は、再循環排気ストリーム１２５がターボ機械１４０の吸入セクション１６０に流入可能にするように開放することができる。排気ストリーム１２５は次に、吸入システム１６０に流入する吸入空気と混合して、吸入流体１３５を形成することができる。各図全体を通じて、吸入空気は、少なくとも１つのウェザーフード１６５の外部に位置付けられる矢印で表す。吸入流体１３５は次に、下流にターボ機械１４０の圧縮機セクション１４５に流れることができる。前述のプロセスの間に、ＥＧＲ流れ循環装置１１０は、ＥＧＲシステム１００全体を通して排気ストリーム１２５を移動させることができる。
【００１９】
図２は、本発明の第１の実施形態による、ＥＧＲシステム１００の吸入システム１６０の１つの実施例を示す概略図である。図２は、ターボ機械１４０と吸入システム１６０の第１の実施形態とを示している。ここで、吸入フィルタシステム１７０は、第１のフィルタ２２０と第２のフィルタ２２５とを含む。第１のフィルタ２２０は、第２のフィルタ２２５の上流側に配置することができる。本発明の１つの実施形態では、第１及び第２のフィルタ２２０、２２５は、例えば限定ではないが、凝集フィルタ又は同様のものの形態とすることができる。
【００２０】
本発明の１つの実施形態では、ＥＧＲシステム１００は、排気ストリームを吸入システム１６０に導入する役割を果たす少なくとも１つのＥＧＲダクト２０５を含む。少なくとも１つのＥＧＲダクト２０５は、ＥＧＲシステム１００と統合された吸入部分（図示せず）を含むことができる。吸入部分は、ＥＧＲ吸入ダンパ１１５から排気ストリーム１２５を受け取ることができる。少なくとも１つのＥＧＲダクト２０５は、吸入システム１６０と統合された出口部分２０９を含むことができる。出口部分２０９は、排気ストリームが吸入システム１６０に流入するのを可能にする。少なくとも１つのＥＧＲダクト２０５は、吸入システム１６０の一部と物理的に統合可能にする何れかの形状にすることができる。少なくとも１つのＥＧＲダクト２０５は、ＥＧＲシステム１００の上述の動作環境及び条件に耐え得る何れかの材料で作ることができる。例えば限定ではないが、排気ストリーム１２５は、約３００フィート毎分から約５００フィート毎分の範囲で流れることができる。
【００２１】
本発明の第１の実施形態では、少なくとも１つのＥＧＲダクト２０５は、少なくとも１つのウェザーフード１６５と統合することができる。例えば限定ではないが、フレーム６ターボ機械１４０は、単一のウェザーフード１６５を含むことができ、フレーム９ターボ機械１４０は、複数のウェザーフード１６５を含むことができる。排気ストリーム１２５は、図２に示すように、少なくとも１つのウェザーフード１６５により囲まれる領域において吸入システム１６０に入ることができる。少なくとも１つのＥＧＲダクト２０５の出口部分２０９は、少なくとも１つのウェザーフード１６５上に向けられ、排気ストリーム１２５を下流側に吸入フィルタシステム１７０に向けて配向及び分布させることができる。出口部分２０９の向きは、空気ストリームとの混合時にほぼ均一な温度分布を可能にすることができる。出口部分２０９の向きはまた、少なくとも１つのウェザーフード１６５に流入する空気流を閉塞する可能性を低減することができる。出口部分２０９の向きにより、吸入流体１３５は、吸入フィルタシステム１７０を通って対称的に流れることができるようになる。
【００２２】
本発明の１つの実施形態において、出口部分２０９の向きは、「Ｘ」で図示された角度Ｘ２１０と、「Ｙ」で図示された角度Ｙ２１５とにより決定付けることができる。角度Ｘ２１０は、「Ｐｘ」で図示される平面Ｘに対する出口部分２０９の中央セクションの位置を決定付けることができる。角度Ｙ２１５は、「Ｐｙ」で図示される平面Ｙに対する排気ストリーム１２５の中央部分の位置を決定付けることができる。また、また、角度Ｘ２１０及び角度Ｙ２１５の範囲は、排気ストリーム１２５の出口速度を考慮して最適化することができる。このことは、排気ストリーム１２５と空気ストリームとの混合を助けることができる。更に、角度Ｘ２１０及び角度Ｙ２１５は、吸入システム１６０内でほぼ均一であるように排気ストリーム１２５を分布させるのを助けることができる。この分布により、ホットスポット又は同様のものの可能性を低減することができる。
【００２３】
本発明の１つの実施形態において、ユーザは、排気ストリーム１２５の最大量を下流側の吸入フィルタシステム１７０に向けて配向させることを目的として、角度Ｘ２１０及び角度Ｙ２１５を最適化することができる。ここで、角度Ｙ２１５の最適値は、角度Ｘ２１０の最適値に依存することができ、又はその逆もまた同様である。例えば限定ではないが、角度Ｘ２１０は、約０度から約９０度の範囲を含むことができ、角度Ｙ２１５は、約０度から約４５度の範囲を含むことができる。
【００２４】
使用時には、本発明の第１の実施形態の吸入システム１６０は以下のように機能することができる。吸入システム１６０は、圧縮機セクション１４５によって吸い込まれた空気ストリームを送って排気ストリームを混合し、上述のように吸入流体１３５を生成することができる。空気ストリームは通常、ターボ機械１４０が作動する環境から流入する。最初に、雨、雪、その他などの気象要素が圧縮機セクション１４５に流入するのを防ぐことができる少なくとも１つのウェザーフード１６５の周りを空気ストリームが流れる。吸入流体１３５は、上述のように、少なくとも１つのＥＧＲダクト２０５の出口部分２０９が少なくとも１つのウェザーフード１６５に接続される領域において生成することができる。次いで、吸入流体１３５は、吸入フィルタシステム１７０を通って流れることができ、該吸入フィルタシステム１７０は一般に、空気ストリームから異物及び塵を除去する。次に、吸入流体１３５は、サイレンサセクション２３５を含むことができる移行ダクト２３０を通って流れることができる。次に、吸入流体１３５は、吸入ダクト１７５を通り、次いで吸入プレナム１８０を通って流れることができ、これらの構成部品は、空気ストリームの速度及び圧力を調整することができる。吸入プレナム１８０は、吸入システム１６０をターボ機械１４０に接続することができ、吸入流体１３５が圧縮機セクション１４５に流れることができるようにする。
【００２５】
ターボ機械１４０は、ロータを有する圧縮機セクション１４５を含む。ターボ機械１４０の運転は一般に、以下のことを含む。吸入システム１６０から引き出される吸入流体１３５は、圧縮機セクション１４５に入り、加圧された後、燃焼システム１４７に吐出され、ここで、天然ガスなどの燃料が燃焼して、高エネルギー燃焼ガスを提供し、タービンセクション１５０を駆動する。タービンセクション１５０において、高温ガスのエネルギーが仕事に変換され、その一部は、圧縮機セクション１４５を駆動するのに使用される。
【００２６】
図３から図６は、本発明の代替の実施形態を示している。これらの図の各々の議論は、議論される実施形態と図２の実施形態との間の相違点を中心としたものである。
【００２７】
図３は、本発明の第２の実施形態による、ＥＧＲシステム１００の吸入システム１６０の実施例を示す概略図である。ここで、吸入システム１６０は、第３のフィルタ３０５を含むように修正することができる。第３のフィルタ３０５は、少なくとも１つのＥＧＲダクト２０５の上流側に配置することができる。少なくとも１つのＥＧＲダクト２０５は、第２の実施形態では、吸入フィルタシステム１７０と第３のフィルタ３０５との間に配置することができる。
【００２８】
第３のフィルタ３０５は、吸入システム１６０に流入する空気ストリーム内の塵及び異物の一部を吸収することができる。第３のフィルタ３０５は、吸入システム１６０に流入する排気ストリーム１２５が、少なくとも１つのウェザーフード１６５から出てターボ機械１４０の周囲環境に流れる可能性を低減することができる。第３のフィルタ３０５は、ターボ機械１４０の運転停止中に排気ストリーム１２５を閉じこめるのを助けることができる。本発明の１つの実施形態において、第３のフィルタ３０５は、例えば限定ではないが、凝集フィルタ又は同様のものの形態とすることができる。
【００２９】
図４は、本発明の第３の実施形態による、ＥＧＲシステム１００の吸入システム１６０の実施例を示す概略図である。ここで、吸入システム１６０は、少なくとも１つのＥＧＲダクト２０５の出口部分を第１のフィルタ２２０と第２のフィルタ２２５との間に配置するよう修正することができる。本発明のこの第３の実施形態では、出口部分２０９は、排気ストリーム１２５を第１のフィルタ２２０と第２のフィルタ２２５との間の吸入システム１６０内に導入できるような向きにすることができる。
【００３０】
本発明の第３の実施形態は、排気ストリーム１２５が、吸入システム１６０に流入する排気ストリーム１２５が、少なくとも１つのウェザーフード１６５から出てターボ機械１４０の周囲環境に流れる可能性を低減することができる。第３の実施形態は、吸入フィルタシステム１７０の周辺に排気ストリームを分布させることができる複数のＥＧＲダクト２０５を含むことができる。ここで、ＥＧＲダクト２０５は、第１のフィルタ２２０と第２のフィルタ２２５との間に位置付けることができる。或いは、少なくとも１つのＥＧＲダクト２０５は、吸入フィルタシステム１７０の上部、下部、又は中央の位置に配置することができる。これは、排気ストリームをほぼ均一に分布させることに関して助けることができる。
【００３１】
図５は、本発明の第４の実施形態による、ＥＧＲシステム１００の吸入システム１６０の実施例を示す概略図である。ここで、吸入システム１６０は、少なくとも１つのＥＧＲダクト２０５の出口部分２０９を吸入フィルタシステム１７０と移行ダクト２３０のサイレンサセクション２３５との間に配置するよう修正することができる。
【００３２】
第４の実施形態の構成は、排気ストリーム１２５が少なくとも１つのウェザーフード１６５から上流側に流れる可能性を低減することができる。本発明の第４の実施形態は、少なくとも１つのＥＧＲダクト２０５から出る排気ストリーム１２５の必要とされる供給圧力の低下を可能にすることができる。本発明の第４の実施形態は、少なくとも１つのＥＧＲダクト２０９の上流側に位置する吸入機器のサイズの低減を可能にすることができる。
【００３３】
図６は、本発明の第５の実施形態による、ＥＧＲシステム１００の吸入システム１６０の１つの実施例を示す概略図である。ここで、吸入システム１６０は、少なくとも１つのＥＧＲダクト２０５の出口部分をサイレンサセクション２３５の下流側に配置するよう修正することができる。これは、排気ストリーム１２５と空気ストリームとが混合されて吸入流体１３５を生成するときに生じる流れ歪みの可能性を低減することができる。
【００３４】
図６に示すように、本発明のこの第５の実施形態は、少なくとも１つのＥＧＲダクト２０５の出口部分を吸入ダクト１７５又は吸入プレナム１８０の種々の位置に配置することができる。例えば、限定ではないが、これらの位置は、「Ａ」で図示されるサイレンサセクション２３５の下流側位置に隣接することができ、及び／又は「Ｂ」又は「Ｃ」で図示される吸入プレナム１８０の下流側端部に隣接することができる。
【００３５】
本発明の１つの実施形態において、位置Ａ、Ｂ、及びＣは、少なくとも１つのＥＧＲダクト２０５の位置を表すことができる。本発明の代替の実施形態において、位置Ａ、Ｂ、及びＣは、複数のＥＧＲダクト２０５が吸入システム１６０上に統合される位置を表すことができる。例えば、限定ではないが、第１のＥＧＲダクト２０５は、位置Ａに位置付けることができ、第２のＥＧＲダクト２０５は、位置Ｂに位置付けることができ、第３のＥＧＲダクト２０５は、位置Ｃに位置付けることができる。
【００３６】
Ａ、Ｂ、及びＣの位置は、吸入流体１３５の圧縮機吸入流れ場特性に依存することができる。本発明の１つの実施形態は、吸入流体１３５を圧縮機セクション１４５の入口においてほぼ均一に分布させようとする。ここで、吸入システムにおける他の流れの閉塞及び流れ転回により生成される流れ歪みを相殺するためには、吸入流体１３５の複数の分布点を必要とすることができる。流れ歪みのよく知られた発生源の１つは、プレナム中心本体３０６である。中心本体３０６の壁を通り、特にプレナムの下部に向かう排気ストリーム１２５の流れの注入は、本発明の非限定的な１つの実施形態である。
【００３７】
本発明の第５の実施形態は、吸入システム１６０の構成部品の一部のサイズの低減を可能にすることができる。ここで、吸入システム１６０は、空気ストリーム流れから排気ストリーム流れを差し引いたものに適合する大きさにすることができ、これは、サイレンサセクション２３５の下流側に導入される。更に、サイレンサセクション２３５の上流側の吸入システム１６０の位置での圧力低下は、排気ストリーム１２５がサイレンサセクション２３５の下流側にあるときに低下させることができる。
【００３８】
図６はまた、少なくとも１つのＥＧＲダクト２０５の代替の実施形態を示している。ここで、少なくとも１つのＥＧＲダクト２０５は、排気ストリーム１２５の流れを配向するための複数のベーン２０７を含む。これは、吸入流体１３５の生成を助けることができる。本発明の別の代替の実施形態では、少なくとも１つのＥＧＲダクト２０５は、複数の可動ベーン２０７を含むことができる。ここで、ユーザは、可動ベーン２０７の位置を排気ストリーム１２５の経路を配向するための最適角度に調整することができる。少なくとも１つのＥＧＲダクト２０５のこれらの実施形態が図６に導入されているが、この実施形態の適用性は図６に限定されるものではない。少なくとも１つのウェザーフード１６５のこれらの実施形態は、本発明の吸入システム１６０の議論された又は関連する実施形態の何れかに適用することができる。
【００３９】
本明細書で使用する用語は、専ら特定の実施形態を説明するためのものであり、本発明を限定することを意図するものではない。本明細書で使用する場合に、数詞のない表現は、文脈がそうでないことを明示していない限り、複数の形態も同様に含むことを意図している。更に、本明細書内で使用する場合に、「含む」及び／又は「有する」という用語は、そこに述べた形状部、完全体、ステップ、動作、要素及び／又は構成要素の存在を明示しているが、１つ又はそれ以上の形状部、完全体、ステップ、動作、要素、構成要素及び／又はそれらの群の存在又は付加を排除するものではない。
【００４０】
本明細書では特定の実施形態を図示しかつ説明してきたが、図示した特定の実施形態は、同一の目的を達成するために考えられるあらゆる構成と置き換えることができること、また本発明は他の環境におけるその他の用途も有することを理解されたい。本出願は、本発明のあらゆる改造及び変更を保護することを意図している。提出した特許請求の範囲は、本発明の技術的範囲を本明細書に記載した特定の実施形態に限定することを一切意図するものではない。
【符号の説明】
【００４１】
１００  ＥＧＲシステム
１０５  ＥＧＲスキッド
１１０  ＥＧＲ流れ循環装置
１１５  ＥＧＲ吸入ダンパ
１２０  ＥＧＲ排出ダンパ
１２５  排気ストリーム
１３０  流路
１３５  吸入流体
１４０  ターボ機械
１４５  圧縮機セクション
１４７  燃焼システム
１５０  タービンセクション
１５５  排気スタック
１６０  吸入システム
１６５  ウェザーフード
１７０  吸入フィルタシステム
１７５  吸入ダクト
１８０  吸入プレナム
２０５  ＥＧＲダクト
２０７  複数のベーン
２０９  出口部分
２１０  角度Ｘ
２１５  角度Ｙ
２２０  第１のフィルタ
２２５  第２のフィルタ
２３０  移行ダクト
２３５  サイレンサセクション
３０５  第３のフィルタ
３０６  プレナム中心本体
【図１】
2010101320.tif 000003
【図２】
2010101320.tif 000004
【図３】
2010101320.tif 000005
【図４】
2010101320.tif 000006
【図５】
2010101320.tif 000007
【図６】
2010101320.tif 000008